(57)【要約】イオン交換により、亜塩素酸塩前駆体、塩素酸塩前駆体または、これら両方の組合せから、亜塩素酸を生じさせる。同時に、溶液から望ましくない陽イオンを除去し、水素イオンを溶液に加えることで、イオン交換物質により、亜塩素酸の生成が簡単になる。触媒により、亜塩素酸から制御下に、二酸化塩素を生じさせる。亜塩素酸の生成の後に、または亜塩素酸の生成と同時に、二酸化塩素を生じさせることができる。二酸化塩素へと亜塩素酸を触媒反応させるために、イオン交換により、または慣用の方法により、亜塩素酸を生じさせることができる。イオン交換物質を使用すると、亜塩素酸および二酸化塩素溶液を分解させることなく、亜塩素酸および二酸化塩素溶液を精製することができ、亜塩素酸および二酸化塩素溶液中の望ましくないイオンを、安定化イオンなどの望ましいイオンに交換することができ、亜塩素酸および二酸化塩素溶液のｐＨを調節することができる。
2004536761.tif 000002
【特許請求の範囲】
【請求項１】
湿潤環境下で、二酸化塩素が形成されるのに十分な時間、亜塩素酸と触媒物質とを接触させることを含む、亜塩素酸から二酸化塩素を生じさせる方法。
【請求項２】
湿潤環境下で、亜塩素酸が形成されるのに十分な時間、亜塩素酸塩前駆体と水素型の陽イオン交換物質とを接触させることを含む、亜塩素酸を生じさせる方法。
【請求項３】
前記陽イオン交換物質を添加剤と混合する、請求項２に記載の方法。
【請求項４】
湿潤環境下で、亜塩素酸が形成されるのに十分な時間、塩素酸塩前駆体と水素型の陽イオン交換物質とを接触させることを含む、亜塩素酸を生じさせる方法。
【請求項５】
前記陽イオン交換物質を添加剤と混合する、請求項４に記載の方法。
【請求項６】
湿潤環境下で、亜塩素酸が形成されるのに十分な時間、塩素酸塩前駆体および酸と還元性イオンの形の陰イオン交換物質とを接触させることを含む、亜塩素酸を生じさせる方法。
【請求項７】
前記陰イオン交換物質を添加剤と混合する、請求項６に記載の方法。
【請求項８】
湿潤環境下で、亜塩素酸が形成されるのに十分な時間、酸とクロレートの形の陰イオン交換物質とを接触させることを含む、亜塩素酸を生じさせる方法。
【請求項９】
前記陰イオン交換物質を添加剤と混合する、請求項８に記載の方法。
【請求項１０】
湿潤環境下で、亜塩素酸および二酸化塩素が一緒に形成されるのに十分な時間、亜塩素酸塩前駆体と水素型の陽イオン交換物質および触媒物質とを接触させることを含む、亜塩素酸および二酸化塩素を生じさせる方法。
【請求項１１】
前記触媒物質が前記の陽イオン交換物質上にある、請求項１０に記載の方法。
【請求項１２】
前記触媒物質がイオン交換物質である、請求項１０に記載の方法。
【請求項１３】
湿潤環境下で、亜塩素酸および二酸化塩素が一緒に形成されるのに十分な時間、亜塩素酸塩前駆体および酸と触媒物質とを接触させることを含む、亜塩素酸および二酸化塩素を生じさせる方法。
【請求項１４】
前記触媒物質が前記陽イオン交換物質上にある、請求項１３に記載の方法。
【請求項１５】
前記触媒物質がイオン交換物質である、請求項１３に記載の方法。
【請求項１６】
湿潤環境下で、亜塩素酸および二酸化塩素が一緒に形成されるのに十分な時間、塩素酸塩前駆体と水素型の陽イオン交換物質および触媒物質とを接触させることを含む、亜塩素酸および二酸化塩素を生じさせる方法。
【請求項１７】
前記触媒物質が前記陽イオン交換物質上にある、請求項１６に記載の方法。
【請求項１８】
前記触媒物質がイオン交換物質である、請求項１６に記載の方法。
【請求項１９】
湿潤環境下で、亜塩素酸および二酸化塩素が一緒に形成されるのに十分な時間、塩素酸塩前駆体および酸と触媒物質とを接触させることを含む、亜塩素酸および二酸化塩素を生じさせる方法。
【請求項２０】
前記触媒物質がイオン交換物質上にある、請求項１９に記載の方法。
【請求項２１】
前記触媒物質がイオン交換物質である、請求項１９に記載の方法。
【請求項２２】
前記触媒物質が還元性イオンの形のイオン交換物質である、請求項１９に記載の方法。
【請求項２３】
湿潤環境下で、亜塩素酸および二酸化塩素が一緒に形成されるのに十分な時間、酸とクロレートの形の陰イオン交換物質および触媒物質とを接触させることを含む、亜塩素酸および二酸化塩素を生じさせる方法。
【請求項２４】
前記触媒物質が前記陰イオン交換物質上にある、請求項２３に記載の方法。
【請求項２５】
前記触媒物質がイオン交換物質である、請求項２３に記載の方法。
【請求項２６】
前記酸が還元剤である、請求項２３に記載の方法。
【請求項２７】
前記酸を還元剤と混合する、請求項２３に記載の方法。
【請求項２８】
湿潤環境下で、前記亜塩素酸溶液から望ましくないイオンが除去されるのに十分な時間、前記亜塩素酸溶液とイオン交換物質とを接触させることを含む、亜塩素酸溶液を精製する方法。
【請求項２９】
前記イオン交換物質を添加剤と混合する、請求項２８に記載の方法。
【請求項３０】
湿潤環境下で、前記二酸化塩素溶液から望ましくないイオンが除去されるのに十分な時間、前記二酸化塩素溶液とイオン交換物質とを接触させることを含む、二酸化塩素溶液を精製する方法。
【請求項３１】
前記イオン交換物質を添加剤と混合する、請求項３０に記載の方法。
【請求項３２】
湿潤環境下で、前記亜塩素酸溶液中の前記望ましくないイオンが前記望ましいイオンに置換されるのに十分な時間、前記亜塩素酸溶液と前記望ましいイオンを含有するイオン交換物質とを接触させることを含む、亜塩素酸溶液中の望ましくないイオンを望ましいイオンに置換する方法。
【請求項３３】
前記イオン交換物質を添加剤と混合する、請求項３２に記載の方法。
【請求項３４】
前記望ましいイオンが安定化イオンである、請求項３２に記載の方法。
【請求項３５】
湿潤環境下で、前記二酸化塩素溶液中の前記望ましくないイオンが前記望ましいイオンに置換されるのに十分な時間、前記二酸化塩素溶液と前記望ましいイオンを含有するイオン交換物質とを接触させることを含む、二酸化塩素溶液中の望ましくないイオンを望ましいイオンに置換する方法。
【請求項３６】
前記イオン交換物質を添加剤と混合する、請求項３５に記載の方法。
【請求項３７】
前記望ましいイオンが安定化イオンである、請求項３５に記載の方法。
【請求項３８】
湿潤環境下で、前記亜塩素酸溶液のｐＨが調節されるのに十分な時間、前記亜塩素酸溶液とイオン交換物質とを接触させることを含む、亜塩素酸溶液のｐＨを調節する方法。
【請求項３９】
前記イオン交換物質を添加剤と混合する、請求項３８に記載の方法。
【請求項４０】
湿潤環境下で、前記二酸化塩素溶液のｐＨが調節されるのに十分な時間、前記二酸化塩素溶液とイオン交換物質とを接触させることを含む、二酸化塩素溶液のｐＨを調節する方法。
【請求項４１】
前記イオン交換物質を添加剤と混合する、請求項４０に記載の方法。
【請求項４２】
湿潤環境下で、亜塩素酸が形成されるのに十分な時間、酸とクロライトの形の陰イオン交換物質とを接触させることを含む、亜塩素酸を生じさせる方法。
【請求項４３】
陰イオン交換物質を添加剤と混合する、請求項４２に記載の方法。
【請求項４４】
湿潤環境下で、亜塩素酸および二酸化塩素が一緒に形成されるのに十分な時間、酸とクロライトの形の陰イオン交換物質および触媒物質とを接触させることを含む、亜塩素酸および二酸化塩素を生じさせる方法。
【請求項４５】
前記触媒物質が前記陰イオン交換物質上にある、請求項４４に記載の方法。
【請求項４６】
前記触媒物質がイオン交換物質である、請求項４４に記載の方法。
【発明の詳細な説明】
【技術分野】
【０００１】
本発明は、亜塩素酸塩水溶液または塩素酸塩水溶液またはこれら両方の溶液の組合せから亜塩素酸を生じさせる方法に関する。さらに本発明は、亜塩素酸塩／塩素酸塩溶液から、亜塩素酸を生じさせた後に、またはそれと同時に、亜塩素酸を触媒反応させることにより二酸化塩素を生じさせる方法に関する。
【背景技術】
【０００２】
酸により、亜塩素酸塩水溶液または安定化二酸化塩素水溶液（安定化亜塩素酸塩溶液）を酸性化することにより亜塩素酸を生じさせることは、次の反応によりよく知られている：
Ｎａ＋ＣｌＯ２−＋Ｈ＋  →  Ｈ＋ＣｌＯ２−＋Ｎａ＋      （１）
【０００３】
次の反応により、亜塩素酸は経時的に分解して、二酸化塩素になることも、従来からよく知られている：
５ＨＣｌＯ２  →  ４ＣｌＯ２＋ＨＣｌ＋２Ｈ２Ｏ      （２）
この反応（２）は、低い酸および高いクロライト濃度において優勢であり、これにより、反応は、特に高いアルカリ性の水供給下では制御が困難になっている。さらに、この分解は遅い。２０，０００ｍｇ／Ｌを上回るクロライト濃度では、反応速度は、ｐＨ＜０．５では５分である。しかしながら、同じクロライト溶液のｐＨが＞１．０まで高まると、この反応は、６０分後にも完了しない。
【０００４】
塩素又は陽極の存在下のような酸化性環境下で、次の反応により、亜塩素酸から、二酸化塩素を生じさせることができることもよく知られている：
ＨＣｌＯ２−ｅ−  →  ＣｌＯ２＋Ｈ＋                （３）
【０００５】
さらに、次の二段階反応で、塩素酸塩を酸性化することにより、亜塩素酸が生じることも知られている：
Ｎａ＋ＣｌＯ３−＋Ｈ＋  →  Ｈ＋ＣｌＯ３−＋Ｎａ＋      （４）
ＨＣｌＯ３＋ＨＣｌ  →  ＨＣｌＯ２＋ＨＯＣｌ        （５）
この反応では、水中で塩素がイオン化された形である次亜塩素酸も、反応（５）で生じる。二酸化塩素の発生は、次の機構のいずれかを介して生じる：
2004536761.tif 000003
【０００６】
しかしながら、塩素酸塩からの二酸化塩素の生成は、制御が非常に困難である。実際には、反応を開始させるために過剰の酸性度が必要とされるが、酸性度が高すぎると、次の副反応が優勢となり、二酸化塩素はわずかしか生じないか、まったく生じない。
ＣｌＯ３−＋６Ｈ＋＋６ｅ−  →  Ｃｌ−＋３Ｈ２Ｏ        （９）
【０００７】
実際には、次の還元反応を使用して、塩素酸塩から二酸化塩素を生じさせる。反応を開始させるためには、すべての前駆体を高い濃度で使用しなければならないが、反応が完了しない場合には、望ましくない副生成物または未反応の前駆体物質が、二酸化塩素溶液を不純にする。加えて、二酸化塩素を生じさせるためには、クロレートの分解またはクロリドイオン自体の添加から、クロリドイオンが存在しなければならない。クロレートから二酸化塩素を生じさせるための反応のすべてを、下記に挙げる。
２ＣｌＯ３−＋ＳＯ２  →  ２ＣｌＯ２＋ＳＯ４２−                      （１０）
４ＣｌＯ３−＋ＣＨ３ＯＨ＋４Ｈ＋  →  ４ＣｌＯ２＋ＨＣＯＯＨ＋３Ｈ２Ｏ（１１）
ＣｌＯ３−＋Ｃｌ−＋２Ｈ＋  →  ＣｌＯ２＋Ｃｌ２＋Ｈ２Ｏ              （１２）
２ＣｌＯ３−＋Ｈ２Ｏ２＋２Ｈ＋  →  ２ＣｌＯ２＋Ｏ２＋２Ｈ２Ｏ         （１３）
【０００８】
さらに、亜塩素酸塩および塩素酸塩からなる混合物は水素イオンの存在下に、次の全体的な反応により二酸化塩素を生成することが知られている：
２Ｈ＋＋ＣｌＯ２−＋ＣｌＯ３−  →  ２ＣｌＯ２＋Ｈ２Ｏ               （１４）
この反応は、反応（６）では異なる形式で示されている。しかしながら、亜塩素酸塩の二酸化塩素への反応速度は、塩素酸塩の二酸化塩素への反応速度より１００倍速い。
【０００９】
反応化学を制御することができず、溶液での反応が効率的でないことにより、多くの用途での二酸化塩素の使用が限られている。二酸化塩素は溶液であっても不安定なガスであるので、その場で生じさせ、生じた直後に使用しなければならない。パルプおよび紙漂白、都市水の予備処理および消毒、食品加工消毒および冷却塔消毒などの大規模工業用途は、これらの用途で濃縮された攻撃的酸化剤および酸を安全に取り扱うことができることにより、成功している。
【００１０】
いくつかの消費者用および医用用途も、成功している。亜塩素酸塩をベースとする練り歯磨き、うがい液および皮膚用消毒ゲルでは、亜塩素酸塩をやや酸性化して、多少の亜塩素酸を生じさせるために、口のｐＨまたは弱酸性活性化剤を使用する。すると、反応（２）により、亜塩素酸は徐々に分解して、二酸化塩素となる。
【００１１】
米国特許第６２００５５７Ｂ１号には、ＨＩＶを治療するために設計された局所溶液では、リン酸塩の化学的添加により、ｐＨ６〜７．４で、溶液からの二酸化塩素の消失が妨害されることが記載されている。このことは、この局所用途では特に有益で、皮膚表面への二酸化塩素の接触時間が延びて、ＨＩＶをより良好に治療することができる。
【００１２】
しかしながら、先行技術のどの方法でも、反応の制御が、主要な障害でありつづけている。加えて、未反応の前駆体成分および反応副生成物が、生成物溶液に持ち越されることは、望ましくない。さらに、多くの場合に、溶液中の過剰な酸により生成物のｐＨが低すぎて、一部の用途では使用することができない。
【発明の開示】
【発明が解決しようとする課題】
【００１３】
本発明により、イオン交換により、亜塩素酸塩水溶液または塩素酸塩水溶液またはこれら両方の組合せから亜塩素酸を制御下に生じさせることができることが判明した。さらに、少なくとも１種の触媒物質を使用することにより、亜塩素酸から二酸化塩素を生じさせることができることが判明した。本発明では、二酸化塩素に変換するための亜塩素酸は、本発明によるイオン交換反応によるか、慣用の酸性化によるものであってよい。本発明での好ましい触媒には、白金、パラジウム、二酸化マンガン、炭素およびイオン交換物質が含まれる。
【課題を解決するための手段】
【００１４】
亜塩素酸を別々に、第１のステップで生じさせ、次いで、第２のステップで触媒反応させて、二酸化塩素を生じさせることもできるが、亜塩素酸および二酸化塩素を同時に、同じ反応環境下、必要な触媒の存在下に生じさせることもできる。方法は連続法またはバッチ法で行うことができ、反応は、水溶液中または水性湿潤環境下に、すなわち、水または水蒸気の存在下に実施しなければならない。
【００１５】
本発明の好ましい実施形態では、亜塩素酸塩または塩素酸塩またはこれら両方の組合せの塩陽イオン／水素イオン交換により、亜塩素酸を生じさせ、次いで、亜塩素酸を湿潤環境下に触媒反応させて、その後にまたは同時に、二酸化塩素を生じさせる。さらに、本発明では、亜塩素酸塩または塩素酸塩またはこれら両方の化学的酸性化により生じた亜塩素酸を湿潤環境下に触媒反応させて、その後にまたは同時に二酸化塩素を生じさせることができることが判明している。
【００１６】
加えて、亜塩素酸塩溶液または塩素酸塩溶液と共に付加的な前駆体を使用して、その後にまたは同時に二酸化塩素を生じさせるための湿潤環境下での亜塩素酸の触媒反応を増強させることができることが、本発明により判明した。このような前駆体には、これらに限らないが、過マンガン酸イオン、クロリドイオン、亜硫酸水素ナトリウム、過酸化物およびアルコールが含まれる。
【００１７】
さらに、陰イオン交換物質が、亜塩素酸を生じさせるために湿潤酸性環境下に対陰イオンと交換され、さらに、後でまたは同時に二酸化塩素を生じさせるための湿潤環境下に触媒反応されるクロライトおよび／またはクロレートイオンの好ましい源であることが、本発明により判明した。このイオン交換により、亜塩素酸の溶液を、塩陽イオン／水素イオン交換により亜塩素酸塩および／または塩素酸塩から生じさせることができる。加えて、さもなければ亜塩素酸および／または二酸化塩素溶液中に含まれるイオン性混入物質を、イオン交換で除去することができ、かつ、イオン交換を介してイオン性安定剤を亜塩素酸および／または二酸化塩素溶液に加えることができる。さらに、イオン交換を使用して亜塩素酸および／または二酸化塩素溶液のｐＨを調節することができる。
【００１８】
したがって、本発明の目的は、少なくとも１種の触媒物質の存在下に、連続またはバッチ法で、水溶液または水性湿潤環境下に、亜塩素酸から二酸化塩素を生じさせることである。
【００１９】
本発明の他の目的は、連続またはバッチ法で、水溶液中または水性湿潤環境下で、水素イオンを除いた陽イオンを通常は含まない亜塩素酸溶液を生じさせることである。
【００２０】
本発明の他の目的は、少なくとも１種の触媒物質の存在下で、連続またはバッチ法で、水溶液中または水性湿潤環境下で、亜塩素酸および二酸化塩素を同時に生じさせることである。
【００２１】
本発明の他の目的は、陰イオン交換物質を利用して、連続またはバッチ法で、水溶液中または水性湿潤環境下で亜塩素酸を生じさせるためのクロライトイオンおよび／またはクロレートイオンを供給することである。
【００２２】
本発明のさらなる目的は、連続またはバッチ法で、イオン交換を使用することにより、生じた亜塩素酸および／または二酸化塩素溶液を精製して、イオン性混入物質を除去することである。
【００２３】
本発明のさらなる目的は、連続またはバッチ法で、イオン交換を使用することにより、亜塩素酸溶液および／または二酸化塩素溶液のｐＨを調節することである。
【００２４】
本明細書中に記載する本発明の最後の目的は、連続またはバッチ法で、イオン交換を使用することにより、亜塩素酸溶液および／または二酸化塩素溶液にイオン性安定剤を加えることである。
【００２５】
これらは、後記で明確になる他の目的および利点と共に、後記でさらに詳述かつ特許請求する技術の細部に属する。以下では、全体を通して同様の数字が同様の部分を示している、本明細書の一部を形成している添付の図面を参照する。
【発明を実施するための最良の形態】
【００２６】
本発明の記載では、明確にするために特定の専門用語を使用する。しかしながら、本発明を、そうして選択された特定の用語または開示されている特定の実施形態に限定することは意図されていない。それぞれの特定の用語には、同様の目的を果たすために同様に適用されるあらゆる技術的等価用語が含まれ、特定の実施形態は、それに限らないが、広い技術的適用および本発明の利用性を説明することを意図されていることは、理解されたい。
【００２７】
ここで使用する場合、用語「溶液」とは、固体、液体または気体物質を液体と混合する工程により生じる混合物を意味しており、ここで、液体は、液体粒子、エアロゾル、蒸気またはミストである。さらに、ここで使用する場合、用語「湿潤環境」とは、反応が生じる環境が水分を含むことを意味しており、その範囲は、わずかに湿潤な環境から、十分に湿った環境までである。さらに、ここで使用する場合、用語「前駆体」とは、亜塩素酸および／または二酸化塩素を生じさせるために使用される任意の溶液および／または溶液の組合せを意味するために使用する。
【００２８】
反応（１）、（４）および（５）により亜塩素酸塩および／または塩素酸塩を酸性化すると、亜塩素酸が生じることは、二酸化塩素の製造の技術者にはよく知られている。これらの反応では、水素イオンを溶液に入れると、そこで、これは、亜塩素酸塩および／または塩素酸塩を部分的に酸性化する。しかしながら、ナトリウムイオンが溶液中に残留するので、溶液の平衡状態により、亜塩素酸塩および／または塩素酸塩の全体的な酸性化が妨害される。今回、陽イオン交換物質によりナトリウムイオンを水素イオンに代えると、溶液の平衡状態が変わり、亜塩素酸塩および／または塩素酸塩の全体酸化が可能となり、したがって、純粋な亜塩素酸溶液が生じることが、意外にも判明した。
【００２９】
亜塩素酸および亜塩素酸を含有する水溶液は、長期間にわたる低レベルの消毒が望まれる用途で特に有用である。これらの用途のうちのいくつかは、皮膚、口および乳牛の乳首の消毒が含まれる。加えて、亜塩素酸は、比較的低い揮発性レベルを有し、これにより、ガス放出が有害である環境での表面消毒に適用することができる。しかしながら、亜塩素酸溶液中の残留クロライトのレベルが比較的高いこと、および迅速には消毒できないことにより、飲料水、冷却塔、食品および表面の消毒のような用途では、二酸化塩素の方が好ましい。加えて、飲料水中の有機混入物を酸化させ、鉄およびマンガンレベルを低減させるためにも、二酸化塩素が望ましい。
【００３０】
さらに、亜塩素酸溶液を容易に触媒反応させて、二酸化塩素を生じさせることができることが、意外にも判明した。亜塩素酸溶液の源は、イオン交換または慣用の酸性化により生じたものであってよい。後者の場合には、亜塩素酸の二酸化塩素への触媒変換により、酸性化反応が完全またはほぼ完全になる。
【００３１】
定義では、触媒は、反応のための活性化エネルギー、すなわち反応が生じるために必要な最低エネルギーを変化させることにより作用する。これは、反応がそれによって進行しうる新たな機構または反応経路を提供することにより達成される。新規の反応経路が低い活性化エネルギーを有する場合は、反応速度が高まり、反応は、触媒されていると言える。本発明で、触媒を使用して、亜塩素酸から二酸化塩素を生じさせる場合には、前駆体溶液の高い濃度も、亜塩素酸の高い濃度も、反応を開始させるために必要ないことが意外にも判明した。さらに、反応は完了に向かって迅速に進行して、望ましくない副生成物または未反応の前駆体物質が二酸化塩素溶液を不純にする機会が減ることが意外にも判明した。
【００３２】
多くの触媒を、本発明の範囲内で使用することができる。これらには、これらに限らないが、白金、パラジウム、二酸化マンガン、炭素およびイオン交換物質が含まれる。このような触媒を、ゼオライトなどの様々な基質の上に堆積させることは、表面積を高めることにより触媒の助けとなることはよく知られている。このような触媒は市販されており、亜塩素酸を二酸化塩素へと触媒反応させるために適切な触媒物質および／または基質を選択することは、当分野の技術者の能力範囲内であろう。
【００３３】
さらに、陰イオン交換物質を使用して、制御された量の陰イオンを前駆体、亜塩素酸溶液および／または二酸化塩素溶液に与えることができることが判明した。例えば、塩素酸塩前駆体から亜塩素酸が生じるためには、クロリドイオンが存在しなければならない。必要なクロリドは、塩素酸塩の分解から存在してもよいが、クロリドの形の陰イオン樹脂を使用して、付加的なクロリドイオンを、酸性化される塩素酸塩前駆体に与えることができる。
【００３４】
イオン交換物質を使用して、前駆体、亜塩素酸および／または二酸化塩素溶液から望ましくないイオンを除去することもできる。例えば、二酸化塩素への反応が完了しない場合には、未反応のクロライトおよび／またはクロレート陰イオンが、二酸化塩素溶液中に存在する。陰イオン交換物質を使用して、クロライトおよび／またはクロレートイオンを除去することができる。さらに、前駆体溶液を化学的に酸性化する場合、過剰のナトリウムイオンが、二酸化塩素溶液中に存在する。陽イオン交換物質を使用して、ナトリウムイオンを除去することができる。
【００３５】
無機および有機樹脂、膜、粉末、ゲルおよび溶液などのイオン交換物質が、当分野の技術者によく知られており、本発明は使用するイオン交換物質のタイプによって限定されない。イオン交換物質の例は、弱酸性陽イオン樹脂および粉末、強酸性陽イオン樹脂および粉末、弱塩基性陰イオン樹脂および粉末、強塩基性陰イオン樹脂および粉末、スルホン化ポリスチレン溶液、陽イオンおよび陰イオン選択膜である。特定のイオン交換物質を選択することは、当分野の技術者の技術範囲内と考えられる。
【００３６】
本発明の一形態では、陽イオン交換物質を使用して、亜塩素酸塩前駆体中の塩陽イオンを水素イオンに交換して、亜塩素酸塩を生じさせる。次いで、生じた亜塩素酸を、二酸化塩素が生じるに十分な時間、触媒物質と接触させる。選択された触媒が酸化を行うことができる場合、例えば、生砂の表面上の二酸化マンガンである場合、反応（３）が優勢であり、亜塩素酸の１００％が変換されて二酸化塩素になる。しかしながら、選択された触媒が酸化を行えない場合、例えば、白金の場合、反応（２）が優勢であり、亜塩素酸の８０％のみが変換されて二酸化塩素になる。
【００３７】
本発明の別の形態では、酸を亜塩素酸前駆体に加えて、亜塩素酸を生じさせるが、この際、塩陽イオンがまだ溶液中に存在する。次いで、亜塩素酸を、二酸化塩素が生じるに十分な時間、触媒物質と接触させる。使用するためにどの酸を選択するかは、用途次第である。例えば、亜塩素酸および／または二酸化塩素溶液を食品加工用途で使用する場合には、酢酸などの酸が好ましい。亜塩素酸および／または二酸化塩素溶液を高純度工業用途で使用する場合には、電気化学的に生じさせた酸を使用することができる。酸の選択は、当分野の技術者の知識範囲内である。
【００３８】
本発明の別の形態では、酸性還元剤前駆体を塩素酸塩前駆体に加え、同時に、塩素酸塩前駆体を、亜塩素酸および二酸化塩素が同時に生じるに十分な時間、触媒物質と接触させる。塩酸を使用する場合、これは、反応に必要な酸性度とクロリドの両方を供給する。しかしながら、どのような酸性源を使用することもでき、必要なクロリドは、塩素酸塩イオンの分解に由来してよい。
【００３９】
本発明の別の形態では、酸性前駆体および還元剤前駆体を塩素酸塩前駆体に加え、同時に、塩素酸塩前駆体を、亜塩素酸塩および二酸化塩素が同時に生じるに十分な時間、触媒物質と接触させる。どのような酸性源を使用することもでき、必要なクロリドは、塩素酸塩イオンの分解に由来してもよい。
【００４０】
本発明の別の形態では、塩素酸塩前駆体を、触媒物質と混合した陽イオン交換物質と接触させる。塩素酸塩前駆体中の塩陽イオンを、水素イオンと交換し、同時に、塩素酸塩前駆体を、亜塩素酸および二酸化塩素が同時に生じるに十分な時間、陽イオン交換物質および触媒物質の両方と接触させる。必要な場合には、塩化ナトリウムなどの他の前駆体を、塩素酸塩前駆体と共に配量して、反応を促進させることができる。
【００４１】
本発明のさらに別の形態では、還元剤を塩素酸塩前駆体と接触させ、その後、前駆体を触媒物質と接触させるか、または同時に、前駆体を二酸化塩素が生じるに十分な時間、触媒物質と接触させる。本発明のこの形態では、触媒物質は、反応（１０）、（１１）、（１２）および（１３）を促進する。
【００４２】
本発明の他の形態では、混合した亜塩素酸塩および塩素酸塩を酸性化し、同時に、これを、二酸化塩素が生じるに十分な時間、触媒物質と接触させる。
【００４３】
実施例１〜６のための前駆体溶液
実施例１〜６では、１種類の亜塩素酸塩前駆体溶液をすべての実施例で使用した。２５％亜塩素酸ナトリウム溶液を逆浸透水で希釈することにより、亜塩素酸塩前駆体溶液を調製した。生じた溶液のｐＨをＨａｃｈ  Ｓｅｎｓｉｏｎ  １ｐＨ測定器で測定したところ、８．５であった。前駆体溶液中の亜塩素酸塩濃度は、Ｈａｃｈ  Ｄｉｇｉｔａｌ  Ｔｉｔｒａｔｏｒ  Ｉｏｄｏｍｅｔｒｉｃ  Ｔｅｓｔ  Ｋｉｔ  ｆｏｒ  Ｃｈｌｏｒｉｎｅを使用すると、８２３ｍｇ／Ｌであった。測定を開始するために、逆浸透水１００ｍｌを、２５０ｍｌエルレンマイヤーフラスコに入れ、サンプル前駆体溶液２ｍｌを逆浸透水に入れた。ヨウ化カリウム粉末ピロ−（Ｐｏｔａｓｓｉｕｍ  Ｉｏｄｉｄｅ  Ｐｏｗｄｅｒ  Ｐｉｌｌｏｗ）１個および溶解酸素試薬３ピロ−（Ｄｉｓｓｏｌｖｅｄ  Ｏｘｙｇｅｎ  Ｒｅａｇｅｎｔ  ３  Ｐｉｌｌｏｗ）１個をフラスコ中の溶液に加え、旋回させて混合し、暗所に１０分間置いて、反応を完了させた。Ｄｉｇｉｔａｌ  Ｔｉｔｒａｔｏｒ中で０．１１３Ｎのチオ硫酸ナトリウムカートリッジ（Ｓｏｄｉｕｍ  Ｔｈｉｏｓｕｌｆａｔｅ  Ｃａｒｔｒｉｄｇｅ）を使用して、溶液を淡黄色まで滴定した。次いで、溶液が青色に変わるまで、デンプン指示溶液（Ｓｔａｒｃｈ  Ｉｎｄｉｃａｔｏｒ  Ｓｏｌｕｔｉｏｎ）を加えた。再び、溶液が３０秒間無色に保たれるまで、溶液を滴定した。滴定器示度を記録し、８００で割って、使用した滴定液のミリリットルを決定した。次いで、値を、次の式に当てはめて、前駆体溶液中の亜塩素酸塩の濃度を決定した：
2004536761.tif 000004
【００４４】
実施例１〜１０のためのプラスチック製試験管
本出願の実施例１〜１０に記載されている試験を実施するために使用するプラスチック管のサンプルを、図１に示し、これは通常、参照番号１００で称される。このプラスチック管１００は、通常は円柱の体１０２を含み、これは、各末端部に、入口底部接続部１０４および出口上部末端接続部１０６の形で固定される慣用の接続クロージャを有する。円柱管１０２の内径に適合するようにＰｏｒｅｘ支持体を切断し、充填のための支持として機能させるためにＰｏｒｅｘディスク１０８を円柱管１０２の末端部と末端クロージャ１０４および１０６との間の各末端部に位置した。供給管は、入口底部接続部１０４へと延び、排出管は、出口上部末端接続部１０６から延びていた。
【実施例１】
【００４５】
陽イオン交換による亜塩素酸の生成
実施例１では、図１に示されているような３０ｍｌプラスチック試験管１００  １本を、管締金を用いて壁面にクリップした。供給管を、前駆体溶液を含有するタンクから、管の底部に延ばした。生成物管を、管の頂部から茶色のサンプルビンに延ばした。この実施例では、管に、Ｒｅｓｉｎｔｅｃｈ  ＣＧ−８の名称で販売されている市販の水素型の強酸性有機陽イオン樹脂を充填して、管を満たした。
【００４６】
流速が３０ｍｌ／分であるように、亜塩素酸塩前駆体溶液の連続的な流を上方に向かって、管に通過させた。溶液のサンプル２５０ｍｌを、管の頂部から取り出し、茶色のビンに入れ、密閉し、暗所キャビネット内で貯蔵した。二酸化塩素を測定（０〜７００ｍｇ／Ｌ）するための方法８１３８を用いて、Ｈａｃｈ２０１０分光光度計を使用して、貯蔵されたサンプルの二酸化塩素について１時間おきに８時間試験した。
【００４７】
前記の試験の結果により、第１に、陽イオン交換物質と接触すると、亜塩素酸塩前駆体から亜塩素酸が生じうることが証明されている。第２に、この試験における亜塩素酸の二酸化塩素への経時的な進展が、図２に示されており、これにより、亜塩素酸が分解して二酸化塩素になる反応時間が遅いことが証明されている。
【実施例２】
【００４８】
陽イオン交換による亜塩素酸塩前駆体からの亜塩素酸の生成およびそれに続く触媒による二酸化塩素の生成
実施例２では、図１に示されている同じ３０ｍｌプラスチック試験管１００  ２本を、管締金を用いて壁面にクリップした。中間接続プラスチック管を第１の試験管から第２の試験管へと延ばして、各試験管で底部から頂部へと溶液を流した。供給管は、前駆体溶液を含有するタンクから、第１の試験管の底部へと延ばした。生成物管は、第２の試験管の頂部から、Ｈａｃｈ２０１０分光光度計の流通セルへと延ばし、その際、二酸化塩素（０〜７００ｍｇ／Ｌ）を測定する方法８１３８を用いた。
【００４９】
（Ａ）第１の試験管に、水素型のＲｅｓｉｎｔｅｃｈ  ＣＧ−８強酸性有機陽イオン樹脂を充填して、管を満たした。第２の試験管に、Ｒｅｓｉｎｔｅｃｈ  ＳＩＲ−６００の名称で販売されており、無機陽イオン樹脂の表面に付着している白金触媒を有する市販の水素型の無機陽イオン樹脂を充填して、管を満たした。白金をＲｅｓｉｎｔｅｃｈ  ＳＩＲ−６００樹脂の表面に付着させるために、塩化白金溶液１００ｍｌを、この溶液が白金１グラムを含有するように調製した。次いで、塩化白金溶液を微細なミストの形で、Ｒｅｓｉｎｔｅｃｈ  ＳＩＲ−６００  １リットルの表面に噴霧して、均一な被覆を形成した。次いで、この被覆されたＲｅｓｉｎｔｅｃｈ  ＳＩＲ−６００樹脂を５５０°Ｆ（約２８７．８℃）のオーブンに３時間入れた。この試験では塩化白金を使用するが、物質を被覆するために、どのような可溶性白金塩を使用することもできる。このような塩および方法は、触媒分野の技術者にはよく知られており、その多くは、標準的な生成物として容易に入手可能である。引き続き、流速が３０ｍｌ／分であるように、亜塩素酸塩前駆体溶液の連続的な流を、第１の試験管、次いで、第２の試験管に通した。
【００５０】
（Ｂ）第１の試験管に、水素型のＲｅｓｉｎｔｅｃｈ  ＣＧ−８強酸性有機陽イオン樹脂を充填して、管を満たした。第２の試験管に、酸で洗浄した炭素粒子を充填して、この乾燥管を満たした。引き続き、流速が３０ｍｌ／分であるように、亜塩素酸塩前駆体溶液の連続的な流を第１の試験管、次いで、第２の試験管に通した。
【００５１】
（Ｃ）第１の試験管に、水素型のＲｅｓｉｎｔｅｃｈ  ＣＧ−８強酸性有機陽イオン樹脂を充填して、管を満たした。第２の試験管に、酸で洗浄した炭素の表面に付着している白金触媒を有する酸で洗浄した炭素粒子を充填して、この管を満たした。陽イオン樹脂の表面に白金を堆積させることに関する実施例２（Ａ）に記載の方法と同様の方法により、酸で洗浄した炭素粒子の表面に、白金を付着させた。引き続き、流速が３０ｍｌ／分であるように、亜塩素酸塩前駆体溶液の連続的な流を第１の試験管、次いで、第２の試験管に通した。
【００５２】
（Ｄ）第１の試験管に、水素型のＲｅｓｉｎｔｅｃｈ  ＣＧ−８強酸性有機陽イオン樹脂を充填して、管を満たした。第２の試験管に、再生マンガン生砂を充填して、この管を満たした。引き続き、流速が３０ｍｌ／分であるように、亜塩素酸塩前駆体溶液の連続的な流を第１の試験管、次いで、第２の試験管に通した。
【００５３】
（Ｅ）第１の試験管に、水素型のＲｅｓｉｎｔｅｃｈ  ＣＧ−８強酸性有機陽イオン樹脂を充填して、管を満たした。第２の試験管に、無機陽イオン交換物質の表面に付着している二酸化マンガンを有するＲｅｓｉｎｔｅｃｈ  ＳＩＲ−６００無機陽イオン交換樹脂を充填して、この管を満たした。Ｒｅｓｉｎｔｅｃｈ  ＳＩＲ−６００樹脂の表面に二酸化マンガンを付着させるために、硫酸マンガン溶液１００ｍｌを、溶液がマンガン１グラムを含有するように調製した。次いで、硫酸マンガン溶液を微細なミストの形で、Ｒｅｓｉｎｔｅｃｈ  ＳＩＲ−６００樹脂１リットルの表面上に噴霧して、均一な被覆を形成した。次いで、この被覆されたＲｅｓｉｎｔｅｃｈ  ＳＩＲ−６００樹脂を５５０°Ｆ（約２８７．８℃）のオーブンに３時間入れると、これにより、マンガンは二酸化マンガンに変換された。この試験では硫酸マンガンを使用したが、物質を被覆するために、どのような可溶性マンガン塩を使用することもできる。このような塩および方法は、触媒分野の技術者にはよく知られており、その多くは、標準的な生成物として容易に入手可能である。引き続き、流速が３０ｍｌ／分であるように、亜塩素酸塩前駆体溶液の連続的な流を第１の試験管、次いで、第２の試験管に通した。
【００５４】
（Ｆ）第１の試験管に、水素型のＲｅｓｉｎｔｅｃｈ  ＣＧ−８強酸性有機陽イオン樹脂を充填して、管を満たした。第２の試験管に、Ｂａｙｅｒ  ＣｏｒｐｏｒａｔｉｏｎによりＬｅｗａｔｉｔ  Ｋ７３３３の名称で販売されている、樹脂上にパラジウムを有する市販の有機陰イオン交換物質のクロライト再生された形を充填して、この管を満たした。購入時には、この樹脂は、ヒドロキシルの形であるが、この実施例では、樹脂を亜塩素酸ナトリウム溶液で再生させて、樹脂をクロライトの形にした。引き続き、流速が３０ｍｌ／分であるように、亜塩素酸塩前駆体溶液の連続的な流を第１の試験管、次いで、第２の試験管に通した。
【００５５】
実施例２（Ａ）から２（Ｆ）での試験の結果を、下記の表１に示す。
2004536761.tif 000005
表１は、実施例（Ａ）から（Ｆ）の試験で、第１の管からの亜塩素酸を触媒により、第２の管中で二酸化塩素に変換した後の二酸化塩素の濃度を示している。
【００５６】
８時間後でも二酸化塩素濃度が約１３０ｍｇ／Ｌにしか達しない、実施例１で示されたような既知の化学的分解と比較して（図２参照）、実施例２（Ａ）から２（Ｆ）のすべてで示されているように、亜塩素酸は、触媒の存在下で二酸化塩素に極めて迅速に変換することが分かる。
【実施例３】
【００５７】
亜塩素酸塩前駆体からの、陽イオン交換および触媒の組合せによる亜塩素酸および二酸化塩素の同時生成
実施例３では、図１に示した３０ｍｌプラスチック試験管１００  １本を、管締金を用いて壁面にクリップした。供給管を、前駆体溶液を含有するタンクから、管の底部へと延ばした。生成物管を、管の頂部から、Ｈａｃｈ２０１０分光光度計の流通セルへと延ばし、その際、二酸化塩素（０〜７００ｍｇ／Ｌ）を測定する方法８１３８を用いた。この実施例では、試験管１００に、水素型のＲｅｓｉｎｔｅｃｈ  ＣＧ−８強酸性有機陽イオン樹脂と、実施例２（Ａ）で前記した方法で無機陽イオン樹脂の表面に付着させた白金触媒を有する水素型のＲｅｓｉｎｔｅｃｈ  ＳＩＲ−６００無機陽イオン樹脂との５０／５０混合物を充填して、試験管を満たした。
【００５８】
流速が３０ｍｌ／分であるように、亜塩素酸塩前駆体溶液の連続的な流を試験管に通した。生じた、試験管からの二酸化塩素の濃度は５２２ｍｇ／Ｌであった。したがって、陽イオン交換物質と適切な触媒の存在下で、亜塩素酸塩前駆体溶液からの亜塩素酸および二酸化塩素の同時生成が容易に起こることが分かる。
【実施例４】
【００５９】
亜塩素酸前駆体からの、酸性化および触媒の組合せによる亜塩素酸および二酸化塩素の同時生成
実施例４では、図１に示した３０ｍｌプラスチック試験管１００  １本を、管締金を用いて壁面にクリップした。供給管を、前駆体溶液を含有するタンクから、試験管の底部へと延ばした。生成物管を、試験管の頂部から、Ｈａｃｈ２０１０分光光度計の流通セルへと延ばし、その際、二酸化塩素（０〜７００ｍｇ／Ｌ）を測定する方法８１３８を用いた。この実施例では、試験管１００に、実施例２（Ａ）で前記した方法で無機陽イオン樹脂の表面に付着させた白金触媒を有する水素型のＲｅｓｉｎｔｅｃｈ  ＳＩＲ−６００無機陽イオン樹脂を充填して、試験管を満たした。
【００６０】
亜塩素酸塩前駆体溶液の連続的な流を、ｐＨ２．５に酸性化し、流速が３０ｍｌ／分であるように、試験管に通した。生じた、試験管からの二酸化塩素の濃度は５２２ｍｇ／Ｌであった。したがって、適切な触媒の存在下で、酸性化された亜塩素酸塩前駆体溶液からの亜塩素酸および二酸化塩素の同時生成が容易に起こることが分かる。
【実施例５】
【００６１】
イオン交換を用いる二酸化塩素溶液の精製
（Ａ）実施例５（Ａ）では、図１に示した３０ｍｌプラスチック試験管１００  ２本を、管締金を用いて壁面にクリップした。中間接続プラスチック管を第１の試験管から第２の試験管へと延ばして、溶液を各試験管の底部から頂部へと流した。供給管を、前駆体溶液を含有するタンクから、第１の試験管の底部へと延ばした。生成物管を、第２の試験管の頂部から、Ｈａｃｈ２０１０分光光度計の流通セルへと延ばし、その際、二酸化塩素（０〜７００ｍｇ／Ｌ）を測定する方法８１３８を用いた。第１の試験管に、水素型のＲｅｓｉｎｔｅｃｈ  ＣＧ−８強酸性有機陽イオン樹脂を充填して、管を満たした。第２の試験管に、実施例２（Ａ）で前記した方法で無機陽イオン樹脂の表面に付着させた白金触媒を有する水素型のＲｅｓｉｎｔｅｃｈ  ＳＩＲ−６００の無機陽イオン樹脂を充填して、管を満たした。引き続き、流速が３０ｍｌ／分であるように、亜塩素酸塩前駆体溶液の連続的な流を、試験管に通した。
【００６２】
（Ｂ）実施例５（Ｂ）では、図１に示した３０ｍｌプラスチック試験管１００  ３本を、管締金を用いて壁面にクリップした。中間接続プラスチック管を、第１の試験管から第２の試験管へと、さらに第２の試験から第３の試験管へと延ばして、溶液を、各試験管の底部から頂部へと流した。供給管を、前駆体溶液を含有するタンクから、第１の試験管の底部へと延ばした。生成物管を、第３の試験管の頂部から、Ｈａｃｈ２０１０分光光度計の流通セルへと延ばし、その際、二酸化塩素（０〜７００ｍｇ／Ｌ）を測定する方法８１３８を用いた。第１および第２の試験管を、実施例５（Ａ）においてと同様に充填した。第３の試験管に、水素型のＲｅｓｉｎｔｅｃｈ  ＣＧ−８強酸性有機陽イオン樹脂と、Ｒｅｓｉｎｔｅｃｈ  ＷＢＭＰの名称で販売されているヒドロキシルの形の市販の弱塩基性有機陰イオン樹脂との５０／５０混合物を充填して、管を満たした。引き続き、流速が３０ｍｌ／分であるように、亜塩素酸塩前駆体溶液の連続的な流を、試験管に通した。
【００６３】
実施例５（Ａ）および５（Ｂ）での試験の結果を、下記の表２に示す。
2004536761.tif 000006
表２は、イオン交換による精製前（実施例５（Ａ））とイオン交換による精製後（実施例５（Ｂ））の二酸化塩素の濃度を示している。これにより、二酸化塩素の濃度は、二酸化塩素溶液をイオン交換により精製しても影響を受けないことが分かる。
【実施例６】
【００６４】
イオン交換を用いた二酸化塩素溶液のｐＨ調節
（Ａ）実施例６（Ａ）では、図１に示した３０ｍｌプラスチック試験管１００  ２本を、管締金を用いて壁面にクリップした。中間接続プラスチック管を、第１の試験管から第２の試験管へと延ばして、溶液を、各試験管の底部から頂部へと流した。供給管を、前駆体溶液を含有するタンクから、第１の試験管の底部へと延ばした。生成物管を、第２の試験管の頂部から、Ｈａｃｈ２０１０分光光度計の流通セルへと延ばし、その際、二酸化塩素（０〜７００ｍｇ／Ｌ）を測定する方法８１３８を用いた。第１の試験管に、水素型のＲｅｓｉｎｔｅｃｈ  ＣＧ−８強酸性有機陽イオン樹脂を充填して、管を満たした。第２の試験管に、実施例２（Ａ）で前記した方法で無機陽イオン樹脂の表面に付着させた白金触媒を有する水素型のＲｅｓｉｎｔｅｃｈ  ＳＩＲ−６００の無機陽イオン樹脂を充填して、管を満たした。引き続き、流速が３０ｍｌ／分であるように、亜塩素酸塩前駆体溶液の連続的な流を、試験管に通した。生じた溶液のｐＨは、２．４であった。
【００６５】
（Ｂ）実施例６（Ｂ）では、図１に示した３０ｍｌプラスチック試験管１００  ３本を、管締金を用いて壁面にクリップした。中間接続プラスチック管を、第１の試験管から第２の試験管へと、さらに第２の試験から第３の試験管へと延ばして、溶液を、各試験管の底部から頂部へと流した。供給管を、前駆体溶液を含有するタンクから、第１の試験管の底部へと延ばした。生成物管を、第３の試験管の頂部から、Ｈａｃｈ２０１０分光光度計の流通セルへと延ばし、その際、二酸化塩素（０〜７００ｍｇ／Ｌ）を測定する方法８１３８を用いた。第１および第２の試験管を、実施例６（Ａ）においてと同様に充填した。第３の試験管に、カルボネートの形の無機陰イオン樹脂であるハイドロタルサイトを充填して、この乾燥管を満たした。引き続き、流速が３０ｍｌ／分であるように、亜塩素酸塩前駆体溶液の連続的な流を、試験管に通した。生じた溶液のｐＨは、８．１であった。
【００６６】
実施例６（Ａ）および６（Ｂ）での試験の結果を、次の表３に示す。
2004536761.tif 000007
表３は、ｐＨ調節の前後の二酸化塩素の濃度を示している。これにより、二酸化塩素の濃度は、二酸化塩素溶液のｐＨをイオン交換により調節しても影響を受けないことが分かる。
【実施例７】
【００６７】
二酸化塩素溶液への安定化イオンの添加
（Ａ）実施例７（Ａ）では、図１に示した３０ｍｌプラスチック試験管１００  ２本を、管締金を用いて壁面にクリップした。中間接続プラスチック管を、第１の試験管から第２の試験管へと延ばして、溶液を、各試験管の底部から頂部へと流した。供給管を、前駆体溶液を含有するタンクから、第１の試験管の底部へと延ばした。生成物管を、第２の試験管の頂部から、Ｈａｃｈ２０１０分光光度計の流通セルへと延ばし、その際、二酸化塩素（０〜７００ｍｇ／Ｌ）を測定する方法８１３８を用いた。第１の試験管に、水素型のＲｅｓｉｎｔｅｃｈ  ＣＧ−８強酸性有機陽イオン樹脂を充填して、管を満たした。第２の試験管に、実施例２（Ａ）で前記した方法で無機陽イオン樹脂の表面に付着させた白金触媒を有する水素型のＲｅｓｉｎｔｅｃｈ  ＳＩＲ−６００の無機陽イオン樹脂を充填して、管を満たした。引き続き、流速が３０ｍｌ／分であるように、亜塩素酸塩前駆体溶液の連続的な流を、試験管に通した。生じた溶液のｐＨは、２．４であった。
【００６８】
（Ｂ）実施例７（Ｂ）では、図１に示した３０ｍｌプラスチック試験管１００  ３本を、管締金を用いて壁面にクリップした。中間接続プラスチック管を、第１の試験管から第２の試験管へと、さらに第２の試験から第３の試験管へと延ばして、溶液を、各試験管の底部から頂部へと流した。供給管を、前駆体溶液を含有するタンクから、第１の試験管の底部へと延ばした。生成物管を、第３の試験管の頂部から、Ｈａｃｈ２０１０分光光度計の流通セルへと延ばし、その際、二酸化塩素（０〜７００ｍｇ／Ｌ）を測定する方法８１３８を用いた。第１および第２の試験管を、実施例７（Ａ）においてと同様に充填した。第３の試験管に、ホスフェートの形の無機陰イオン樹脂であるハイドロタルサイトを充填して、この管を満たした。引き続き、流速が３０ｍｌ／分であるように、亜塩素酸塩前駆体溶液の連続的な流を、試験管に通した。生じた溶液のｐＨは、７．８であった。
【００６９】
実施例７（Ａ）および７（Ｂ）での試験の結果を、次の表４に示す。
2004536761.tif 000008
表４は、安定化イオンの添加前後での二酸化塩素の濃度を示している。これにより、二酸化塩素の濃度は、ホスフェートなどの安定化イオンを二酸化塩素溶液に加えても、二酸化塩素濃度は影響を受けないことが分かる。
【実施例８】
【００７０】
陽イオン交換および触媒の組合せによる、塩素酸塩前駆体からの亜塩素酸および二酸化塩素の同時生成
実施例８では、溶液の濃度が、クロレートとして７８３０ｍｇ／Ｌおよびクロリドとして４０８７ｍｇ／Ｌであるように、クロレートイオンおよびクロリドイオンの両方を含有する前駆体溶液を調製した。次いで、前駆体溶液を、タンクに入れ、容器に通した。
【００７１】
図１に示したような３０ｍｌプラスチック試験管１００  １本を、管締金を用いて壁面にクリップした。供給管を、前駆体溶液を含有するタンクから、試験管の底部に延ばした。生成物管を、管の頂部から、Ｈａｃｈ２０１０分光光度計の流通セルへと延ばし、その際、二酸化塩素（０〜７００ｍｇ／Ｌ）を測定する方法８１３８を用いた。この実施例では、試験管を、実施例３と同様に充填した。
【００７２】
流速が３０ｍｌ／分であるように、塩素酸塩前駆体溶液の連続的な流を試験管に通過させた。生じた、試験管からの二酸化塩素の濃度は、９３ｍｇ／Ｌであった。したがって、陽イオン交換物質および適切な触媒の存在下で、塩素酸塩前駆体溶液からの亜塩素酸および二酸化塩素の同時生成が起こることが分かる。
【実施例９】
【００７３】
イオン交換および塩酸前駆体を使用する、亜塩素酸および二酸化塩素の同時生成
実施例９では、図１に示したような３０ｍｌプラスチック試験管１００  １本を、管締金を用いて壁面にクリップした。供給管を、３０％塩酸前駆体溶液１５０ｍＬを含有する気体洗浄ビンから、試験管の底部に延ばした。生成物管を、試験管の頂部から、逆浸透水２００ｍｌを含有する第２の気体洗浄ビンへと延ばした。試験管に、Ｂａｙｅｒ  ＣｏｒｐｏｒａｔｉｏｎによりＬｅｗａｔｉｔ  Ｋ７３３３の名称で販売されている、樹脂上にパラジウムを有する市販の有機陰イオン交換物質のクロレート再生された形を充填して、管を満たした。購入時には、この樹脂は、ヒドロキシルの形であるが、この実施例のために、樹脂を塩素酸ナトリウム溶液で再生させて、樹脂をクロレートの形にした。圧縮空気を用いて、塩酸蒸気を、塩酸前駆体溶液からストリップし、次いで、この蒸気を試験管に通した。試験管からの最終生成物を、第２の気体洗浄ビン中の水に散布した。第２の気体洗浄ビンから生じた溶液を、二酸化塩素を測定（０〜７００ｍｇ／Ｌ）する方法８１３８を用いてＨａｃｈ２０１０分光光度計で二酸化塩素に関して試験した。
【００７４】
塩酸前駆体蒸気の連続的な流を、試験管に５分間通した。５分後に、二酸化塩素の濃度を、第２の気体洗浄ビン中で測定した。結果として生じた、第２の気体洗浄ビンに集められた管からの二酸化塩素の濃度は、１８７ｍｇ／Ｌであった。したがって、酸性還元剤、適切な触媒およびクロレートの形の陰イオン交換物質の存在下で、亜塩素酸および二酸化塩素の同時生成が起こることが分かる。
【実施例１０】
【００７５】
イオン交換および硫酸水素ナトリウム前駆体を使用する、亜塩素酸および二酸化塩素の同時生成
実施例１０では、図１に示したような３０ｍｌプラスチック試験管１００  １本を、管締金を用いて壁面にクリップした。供給管を、２０％亜硫酸水素ナトリウム（ＮａＨＳＯ３）前駆体溶液１５０ｍＬを含有する気体洗浄ビンから、試験管の底部に延ばした。生成物管を、試験管の頂部から、逆浸透水２００ｍｌを含有する第２の気体洗浄ビンへと延ばした。試験管に、実施例９について記載したものと同じ、樹脂上にパラジウムを有するクロレートの形の有機陰イオン交換物質を充填して、管を満たした。圧縮空気を用いて、亜硫酸水素ナトリウム蒸気を亜硫酸水素ナトリウム前駆体溶液からストリップし、次いで、亜硫酸水素ナトリウム蒸気を試験管に通した。試験管からの最終生成物を、第２の気体洗浄ビン中の水に散布した。第２の気体洗浄ビンから生じた溶液を、二酸化塩素を測定（０〜７００ｍｇ／Ｌ）する方法８１３８を用いてＨａｃｈ２０１０分光光度計で二酸化塩素に関して試験した。
【００７６】
亜硫酸水素ナトリウム前駆体蒸気の連続的な流を、試験管に５分間通した。５分後に、二酸化塩素の濃度を、第２の気体洗浄ビン中で測定した。結果として生じた、第２の気体洗浄ビンに集められた試験管からの二酸化塩素の濃度は５７６ｍｇ／Ｌであった。したがって、酸性還元剤、適切な触媒およびクロレートの形の陰イオン交換物質の存在下で、亜塩素酸および二酸化塩素の同時生成が生じることが分かる。
【実施例１１】
【００７７】
イオン交換触媒および亜硫酸水素ナトリウム前駆体を使用する、亜塩素酸および二酸化塩素の同時生成
実施例１１では、図１に示したような３０ｍｌプラスチック試験管１００  １本を、管締金を用いて壁面にクリップした。供給管を、２０％亜硫酸水素ナトリウム（ＮａＨＳＯ３）前駆体溶液１５０ｍＬを含有する気体洗浄ビンから、試験管の底部に延ばした。生成物管を、試験管の頂部から、逆浸透水２００ｍｌを含有する第２の気体洗浄ビンへと延ばした。試験管に、クロレートの形になるように再生されている既知の無機陰イオン樹脂であるハイドロタルサイトを充填して、乾燥管を満たした。圧縮空気を用いて、亜硫酸水素ナトリウム蒸気を亜硫酸水素ナトリウム前駆体溶液からストリップし、次いで、亜硫酸水素ナトリウム蒸気を試験管に通した。試験管からの最終生成物を、第２の気体洗浄ビン中の水に散布した。第２の気体洗浄ビンから生じた溶液を、二酸化塩素を測定（０〜７００ｍｇ／Ｌ）する方法８１３８を用いてＨａｃｈ２０１０分光光度計で二酸化塩素に関して試験した。
【００７８】
亜硫酸水素ナトリウム前駆体蒸気の連続的な流を、試験管に５分間通した。５分後に、二酸化塩素の濃度を第２の気体洗浄ビン中で測定した。結果として生じた、第２の気体洗浄ビンに集められた試験管からの二酸化塩素の濃度は３１８ｍｇ／Ｌであった。したがって、酸性還元剤およびクロレートの形の触媒陰イオン交換物質の存在下で、亜塩素酸および二酸化塩素の同時生成が起こることが分かる。
【実施例１２】
【００７９】
イオン交換および塩酸前駆体を使用する、亜塩素酸および二酸化塩素の同時生成
実施例１２では、図１に示したような３０ｍｌプラスチック試験管１００  １本を、管締金を用いて壁面にクリップした。供給管を、３０％塩酸前駆体溶液１５０ｍＬを含有する気体洗浄ビンから、試験管の底部に延ばした。生成物管を、試験管の頂部から、逆浸透水２００ｍｌを含有する第２の気体洗浄ビンへと延ばした。試験管に、Ｂａｙｅｒ  ＣｏｒｐｏｒａｔｉｏｎによりＬｅｗａｔｉｔ  Ｋ７３３３の名称で販売されている、樹脂上にパラジウムを有する市販の有機陰イオン交換物質のクロライト再生された形を充填して、この管を満たした。購入時には、この樹脂は、ヒドロキシルの形であるが、この実施例のために、樹脂を初めに、亜塩素酸ナトリウム溶液で再生させて、樹脂をクロライトの形にした。圧縮空気を用いて、塩酸蒸気を塩酸前駆体溶液からストリップし、次いで、蒸気を試験管に通した。試験管からの最終生成物を、第２の気体洗浄ビン中の水に散布した。第２の気体洗浄ビンから生じた溶液を、二酸化塩素を測定（０〜７００ｍｇ／Ｌ）する方法８１３８を用いてＨａｃｈ２０１０分光光度計で二酸化塩素に関して試験した。
【００８０】
塩酸前駆体蒸気の連続的な流を、試験管に５分間通した。５分後に、二酸化塩素の濃度を第２の気体洗浄ビン中で測定した。結果として生じた、第２の気体洗浄ビンに集められた試験管からの二酸化塩素の濃度は６７６ｍｇ／Ｌであった。したがって、酸性剤、適切な触媒およびクロライトの形の陰イオン交換物質の存在下に、亜塩素酸および二酸化塩素の同時生成が起こることが分かる。
【００８１】
前記の説明および実施例は、本発明の原理を説明しているものとしてのみ見なされるべきである。本発明の数多くの適用が当分野の技術者には容易に見出されるので、本発明を、開示されている個々の実施例または図示および記載されている厳密な構成および操作に限定することは望ましくない。むしろ、本発明の範囲に該当する適切な変更および同等物のすべてが、請求されうる。
【図面の簡単な説明】
【００８２】
【図１】本出願に記載の実施例１〜１１の試験で使用されるプラスチック管の分解正面図である。
【図２】イオン交換により生じた亜塩素酸溶液の分解時間に対する、二酸化塩素濃度を示すグラフである。
【図１】
2004536761.tif 000009
【図２】
2004536761.tif 000010
【国際公開パンフレット】
2004536761.tif 000011
2004536761.tif 000012
2004536761.tif 000013
2004536761.tif 000014
2004536761.tif 000015
2004536761.tif 000016
2004536761.tif 000017
2004536761.tif 000018
2004536761.tif 000019
2004536761.tif 000020
2004536761.tif 000021
2004536761.tif 000022
2004536761.tif 000023
2004536761.tif 000024
2004536761.tif 000025
2004536761.tif 000026
2004536761.tif 000027
2004536761.tif 000028
2004536761.tif 000029
2004536761.tif 000030
2004536761.tif 000031
2004536761.tif 000032
2004536761.tif 000033
2004536761.tif 000034
2004536761.tif 000035
2004536761.tif 000036
2004536761.tif 000037
2004536761.tif 000038
2004536761.tif 000039
2004536761.tif 000040
2004536761.tif 000041
2004536761.tif 000042
2004536761.tif 000043
2004536761.tif 000044
2004536761.tif 000045
2004536761.tif 000046
2004536761.tif 000047
2004536761.tif 000048
2004536761.tif 000049
2004536761.tif 000050
2004536761.tif 000051
2004536761.tif 000052
2004536761.tif 000053
2004536761.tif 000054
【国際公開パンフレット（コレクトバージョン）】
2004536761.tif 000055
2004536761.tif 000056
【国際調査報告】
2004536761.tif 000057
2004536761.tif 000058
2004536761.tif 000059
2004536761.tif 000060
2004536761.tif 000061